(57)【要約】      （修正有）【課題】納骨壇において、祭壇室や納骨室の開閉扉のオモテ面またはウラ面に、故人を偲ぶための写真や書画などを収めた収納具が、地震時の横又は縦の揺れに対して、壊れることなく耐える納骨壇を提供する。【解決手段】故人の写真２２・書画２３などを収めた収納具１３、１４を、プッシュリベット１５を使用して摺動機構を有しないベース板１６に固定し、ベース板１６を介して開閉扉１２、１７の四隅に設けられているボルトに、蝶ナット２４を以て締め付ける。【選択図】図２
0003226437.tif 000002
【実用新案登録請求の範囲】
【請求項１】
納骨壇を主に構成する祭壇室と納骨室の開閉扉に、故人の写真や書画などを収めた収納具を取り付ける場合、収納具を予め摺動機構を有しないベース板に固定する。そして、ベース板を介して開閉扉のオモテ面又はウラ面に取り付けることができる納骨壇。
【考案の詳細な説明】
【技術分野】
【０００１】  本考案は、故人の骨箱等が収納され、例えば寺院や霊園等において、建設された納骨堂に多数設置される納骨壇に関するものである。
【背景技術】
【０００２】  近年、地価の高騰などにより、屋外墓所を入手することが困難である。また、屋外墓所は、雨・風などの気候により劣化しやすい。
このため、例えば寺院や霊園等においては、屋内に所謂ロッカー形式の安価な納骨壇を、多数設置することができる納骨堂が建築されるに至り、安価な納骨壇が利用できるようになった。【０００３】  従来、一般的な納骨壇は、図１に示すようなロッカー形式の納骨壇１は、概ね上下２分割で、上部が祭壇室２、下部が納骨室３、上下の中間部に供物を置くための引き出し４に構成されている。【０００４】  祭壇室は、開閉扉が設けれている。祭壇室内の空間には、宗派によって多少相違するものの、厨子・香合・燭台・線香台、その他の仏具や備品等が収納されている。納骨室は、開閉扉が設けられている。納骨室内の空間には、骨箱が収納されている。礼拝時に、故人を偲ぶため、写真を収めた収納具を祭壇室の開閉扉のウラ面に取り付けている。また、故人を表示したタブレット端末を祭壇室の空間に、礼拝時のみ設置したりしている。
【考案の概要】
【考案が解決しようとする課題】
【０００５】  本考案が解決しようとする課題は、主に故人を偲ぶために使用する写真や、書画などの遺品に限定する。祭壇室の開閉扉のウラ面に取り付けられた写真を収めた収納具は、摺動機構を有し水平に回転可能なものである。しかし、回転に対してストッパー機構が無いため、地震時の横又は縦の揺れに対して、収納具は構造上揺れが大きくなり、外れたり・壊れたりする可能性がある。
【課題を解決するための手段】
【０００６】  本考案は、故人の写真や書画などを収めた収納具は、摺動機構を有するものに固定しない。摺動機構を有しないベース板に、収納具をプッシュリベットを使用して固定し、開閉扉のウラ面の四隅に取り付けたボルトに、ベース板を蝶ナットで締め付ける。本手段は、祭壇室の扉のオモテ面又は納骨室の開閉扉のオモテ面・ウラ面にも適用可能である。
【考案の効果】
【０００７】  本考案は、摺動機構を有しないベース板に収納具は固定され、開閉扉のウラ面の四隅のボルトに蝶ナットで締め付けられている。よって、地震時の横又は縦揺れに対して、収納具が外れたり・壊れたりすることはない。また、蝶ナットを緩めて開閉扉のウラ面から、ベース板を外しテーブルの上におけば、故人の写真や書画などを収めた収納具の取り外し・取り付けは可能である。
取り外した収納具に、新たな故人の写真や書画などを入れ替えて取り付ければ、新たな気持ちで礼拝することができる。
【図面の簡単な説明】
【０００８】
【図１】ロッカー形式納骨壇の斜視図である。
【図２】本考案の一実施形態を示し、主に祭壇室と納骨室の開閉扉を開放した納骨壇の正面図である。
【図３】収納具が固定されたベース板を、祭壇室の開閉扉のウラ面に取り付けた状態の正面図と側面図である。
【図４】個人の写真や書画などを収めた収納具を、ベース板に固定した状態の正面図と側面図である。
【図５】プッシュリベットの一般的な使用方法を示した図である。
【図６】プッシュリベットの取り付け方法の説明図である。
【図７】プッシュリベットの取り外し方法の説明図である。
【図８】開閉扉のウラ面の四隅に、取り付けられているボルトを示す正面図と側面図である。
【考案を実施するための最良の形態】
【０００９】  本考案に係る納骨壇の一実施形態について、図面に従って説明する。
図１では、ロッカー形式での、単体の納骨壇１は、概ね上下２分割で、上部は祭壇室２、下部は納骨室３、上下の中間部は供物を置くための引き出し４に構成されている。上部・下部の室には、開閉扉が備えられている。【００１０】  図２が示すものは、祭壇室２の空間７は、宗派によって相違するが、厨子８・香合９・燭台１０・線香台１１、その他の仏具や備品等が収納されている。
祭壇室２の開閉扉１２の右側ウラ面には、故人の写真２２や書画２３を収めた大きさの異なる収納具１３・１４が、プッシュリベット１５を使用してベース板１６に固定され、ベース板１６は、開閉扉１２の四隅に取り付けられているボルトに、蝶ナット２４を以て締め付けられている。
また、祭壇室２の開閉扉１２の左側ウラ面に、蝶ナット２４を以て締め付けられているベース板１６は、収納具１３・１４が固定されていない状態を示しており、ベース板１６本体は、予めプッシュリベット用の穴が十数カ所あけられている。【００１１】  納骨室３は、開閉扉１７の片側が開かれ、空間１８には骨箱１９が収納されている。【００１２】  図３は、故人の写真２２や書画２３などを収めた収納具１３・１４が、プッシュリベット１５で固定されたベース板１６を、祭壇室２の開閉扉１２に締め付ける手順・方法を示したものである。
祭壇室２の開閉扉１２のウラ面四隅には、既にボルト２０のネジ部が少し突き出た状態で、ナット２１によって取り付けられている。
そして、ベース板の４ヶ所の切り欠き部を利用して、開閉扉１２の四隅に少し突き出たボルト２０にのせて、ベース板１６を安定させ蝶ナット２４を以て４ヶ所締め付ける。【００１３】  図４は、故人の写真２２や書画２３などを収めた収納具１３・１４をベース板１６に固定する手順・方法を示したものである。
ベース板１６をテーブル２５の上にのせ、個人の写真２２や書画２３などを収めた収納具１３・１４をプッシュリベット１５を使用して、ベース板１６に固定する。【００１４】  図５は、プッシュリベット１５の一般的な使用方法を示したものである。【００１５】  図６は、故人の写真や書画などを収めた収納具１３・１４をプッシュリベット１５を使用して、ベース板１６に固定する方法を示したものである。
全長の短いプッシュリベットもある。【００１６】  図７は、プッシュリベット１５を、ドライバー２６を使用して取り外す方法を示したものである。全長の短いプッシュリベットもある。【００１７】  図８は、祭壇室２の開閉扉１２のウラ面四隅には、既にボルト２０のネジ部が少し突き出た状態で、ナット２１によって取り付けられている状態を示している。
【符号の説明】
【００１８】１２  祭壇室の開閉扉
１３  故人の写真を収めた収納具
１４  故人の書画など収めた収納具
１５  プッシュリベット
１６  ベース板
１７  納骨室の開閉扉
２２  故人の写真
２３  故人の書画など
２４  蝶ナット
【図１】
0003226437.tif 000003
【図２】
0003226437.tif 000004
【図３】
0003226437.tif 000005
【図４】
0003226437.tif 000006
【図５】
0003226437.tif 000007
【図６】
0003226437.tif 000008
【図７】
0003226437.tif 000009
【図８】
0003226437.tif 000010
【手続補正書】
【提出日】令和2年2月26日(2020.2.26)
【手続補正１】
【補正対象書類名】実用新案登録請求の範囲
【補正対象項目名】全文
【補正方法】変更
【補正の内容】
【実用新案登録請求の範囲】
【請求項１】
納骨壇を主に構成する祭壇室と納骨室の開閉扉に、故人の写真や書画を収めた収納具を取り付ける場合、収納具を予め摺動機構を有しないベース板に固定し、ベース板を介して開閉扉のオモテ面又はウラ面に取り付けることができる納骨壇。